(57)【要約】本発明は、電子装置のグラフィカルユーザ・インターフェースにガイドラインを形成する方法、グラフィカルユーザ・インターフェース、および電子装置に関する。この電子装置は、少なくとも１つのディスプレイと、ナビゲーション手段とを有し、グラフィカルユーザ・インターフェースの仮想デスクトップの領域の一部を一度にディスプレイに表示する。この方法では、デジタル素材を仮想デスクトプ領域に配置する。この方法は更に、デジタル素材の中に原点を決定し、ガイドラインが貫通して引かれている少なくとも２個の点を規定するステップを有する。ガイドラインは原点までの距離および／または方向を示す。次にガイドラインをデジタル素材と一緒にディスプレイ上に表示する。
2005524141.tif 000002
【特許請求の範囲】
【請求項１】
少なくとも１個のディスプレイとナビゲーション手段とを有する電子装置のグラフィカルユーザ・インターフェースにおいてガイドラインを形成する方法であって、前記グラフィカルユーザ・インターフェースの仮想デスクトップ領域の一部を一度にディスプレイ上に表示し、デジタル素材を前記仮想デスクトップ領域上に配置するステップを有する方法において、
前記デジタル素材内において原点を決定し、
前記原点までの距離および／または方向を示すガイドラインが貫通して引かれる少なくとも２個の点を規定し、
前記ガイドラインを前記デジタル素材と共に前記ディスプレイ上に表示する、
ステップを更に有することを特徴とする方法。
【請求項２】
前記ユーザ・インターフェース領域内に１個以上の同心円を形成し、同心の点は前記原点であることを特徴とする、請求項１に記載の方法。
【請求項３】
２つの同心円の間の領域は、アプリケーションを開始するためのアクティブ領域として使用されることを特徴とする、方法請求項１または２に記載の方法。
【請求項４】
連続する円の間の距離は一定であることを特徴とする、請求項２または３に記載の方法。
【請求項５】
連続する円の間の距離は前記原点からの距離によって異なることを特徴とする、請求項２または３に記載の方法。
【請求項６】
１本以上の放射状のガイドラインを前記ユーザ・インターフェース領域内に形成するステップを有し、前記ガイドラインの開始点は前記原点であることを特徴とする、請求項１または２に記載の方法。 
【請求項７】
前記原点までの距離および／または方向を、２本の隣接する放射状のラインの間の角度を元にして検出するステップを含むことを特徴とする、請求項６に記載の方法。
【請求項８】
１個以上の同心の楕円曲線を前記ユーザ・インターフェース領域内に形成するステップを含み、同心の点は前記原点であることを特徴とする、請求項１に記載の方法。
【請求項９】
前記ガイドライン上に補助マークを配置するステップを含むことを特徴とする、請求項１、２、３、４、５、６、７、８の何れか１項に記載の方法。
【請求項１０】
前記ユーザ・インターフェース領域をズームし、
前記ガイドラインおよび／または前記補助マークをズーム率からは独立して維持するステップを有することを特徴とする、請求項１、２、３、４、５、６、７、８、９の何れか１項に記載の方法。
【請求項１１】
前記ユーザ・インターフェース領域をズームし、
前記ガイドラインおよび／または前記補助マークをズーム率と一緒に適合するステップを有することを特徴とする、請求項１、２、３、４、５、６、７、８、９の何れか１項に記載の方法。
【請求項１２】
少なくとも１個のディスプレイとナビゲーション手段とを有する電子装置のディスプレイに情報を表示するグラフィカルユーザ・インターフェースであって、前記グラフィカルユーザ・インターフェースの仮想デスクトップ領域の一部をディスプレイに一度に表示し、デジタル素材を前記仮想デスクトップ領域に配置するグラフィカルユーザ・インターフェースにおいて、
前記デジタル素材内において原点を決定し、
前記原点までの距離および／または方向を示すガイドラインが貫通して引かれる少なくとも２個の点を規定し、
前記ガイドラインを前記デジタル素材と共に前記ディスプレイ上に表示する、
ステップを実行することを特徴とするグラフィカルユーザ・インターフェース。
【請求項１３】
前記ユーザ・インターフェース領域内に１個以上の同心円を形成するステップを実行し、同心の点は前記原点であることを特徴とする、請求項１２に記載のグラフィカルユーザ・インターフェース。
【請求項１４】
２つの同心円の間の領域は、アプリケーションを開始するためのアクティブ領域として使用されることを特徴とする、請求項１２または１３に記載のグラフィカルユーザ・インターフェース。
【請求項１５】
連続する円の間の距離は一定であることを特徴とする、請求項１３または１４に記載のグラフィカルユーザ・インターフェース。
【請求項１６】
連続する円の間の距離は前記原点からの距離によって異なることを特徴とする、請求項１３または１４に記載のグラフィカルユーザ・インターフェース。
【請求項１７】
１本以上の放射状のガイドラインを前記ユーザ・インターフェース領域内に形成するステップを実行し、前記ガイドラインの開始点は前記原点であることを特徴とする、請求項１２または１３に記載のグラフィカルユーザ・インターフェース。
【請求項１８】
前記原点までの距離および／または方向を、２本の隣接する放射状のラインの間の角度を元にして検出するステップを実行することを特徴とする、請求項１７に記載のグラフィカルユーザ・インターフェース。
【請求項１９】
１個以上の同心の楕円曲線を前記ユーザ・インターフェース領域内に形成するステップを実行し、同心の点は前記原点であることを特徴とする、請求項１２に記載のグラフィカルユーザ・インターフェース。
【請求項２０】
前記ガイドライン上に補助マークを配置するステップを実行することを特徴とする、請求項１２、１３、１４、１５、１６、１７、１８、１９のいずか１項に記載のグラフィカルユーザ・インターフェース。
【請求項２１】
前記ユーザ・インターフェース領域をズームし、
前記ガイドラインおよび／または前記補助マークをズーム率からは独立して維持するステップを実行することを特徴とする、請求項１２、１３、１４、１５、１６、１７、１８、１９、２０のいずれか１項に記載のグラフィカルユーザ・インターフェース。
【請求項２２】
前記ユーザ・インターフェース領域をズームし、
前記ガイドラインおよび／または前記補助マークをズーム率と一緒に適合するステップを実行することを特徴とする、請求項１２、１３、１４、１５、１６、１７、１８、１９、２０のいずれか１項に記載のグラフィカルユーザ・インターフェース。
【請求項２３】
少なくとも１個のハウジングと、前記ハウジング内に位置された電子回路と、ディスプレイと、グラフィカルユーザ・インターフェースと、前記グラフィカルユーザ・インターフェースにおいてナビゲーションするナビゲーション手段とを有し、前記グラフィカルユーザ・インターフェースの仮想デスクトップ領域の一部を一度にディスプレイに表示する電子装置において、
前記デジタル素材内において原点を決定する手段と（４０）、
前記原点までの距離および／または方向を示すガイドラインが貫通して引かれる少なくとも２個の点を規定する手段と（４０）、
前記ガイドラインを前記デジタル素材と共に前記ディスプレイ上に表示する手段と（９０）、
を更に有することを特徴とする電子装置。
【請求項２４】
前記ユーザ・インターフェース領域内に１個以上の同心円を形成する手段（４０）を有し、同心の点は前記原点であることを特徴とする、請求項２３に記載の電子装置。
【請求項２５】
２つの同心円の間の領域を、アプリケーションを開始するためのアクティブ領域として使用する手段（４０）を有することを特徴とする、請求項２３または２４に記載の電子装置。
【請求項２６】
１本以上の放射状のガイドラインを前記ユーザ・インターフェース領域内に形成する手段を有し（４０）、前記ガイドラインの開始点は前記原点であることを特徴とする、請求項２３または２４に記載の電子装置。
【請求項２７】
前記原点までの距離および／または方向を、２本の隣接する放射状のラインの間の角度を元にして検出する手段（４０）を有することを特徴とする、請求項２６に記載の電子装置。
【請求項２８】
１個以上の同心の楕円曲線を前記ユーザ・インターフェース領域内に形成する手段を有し（４０）、同心の点は前記原点であることを特徴とする、請求項２３に記載の電子装置。
【請求項２９】
前記ガイドライン上に補助マークを配置する手段（４０）を有することを特徴とする、請求項２３、２４、２５、２６、２７、２８の何れか１項に記載の電子装置。
【請求項３０】
前記ユーザ・インターフェース領域をズームする手段（４０）と、
前記ガイドラインおよび／または前記補助マークをズーム率から独立して維持する手段（４０）と、
を有することを特徴とする、請求項２３、２４、２５、２６、２７、２８、２９の何れか１項に記載の電子装置。
【請求項３１】
前記ユーザ・インターフェース領域をズームする手段（４０）と、
前記ガイドラインおよび／または前記補助マークをズーム率と一緒に適合する手段（４０）と、
を有することを特徴とする、請求項２３、２４、２５、２６、２７、２８、２９の何れか１項に記載の電子装置。
【発明の詳細な説明】
【技術分野】
【０００１】
本発明は、可搬式テレコミュニケーションシステムに関し、特に、電子装置のグラフィカルユーザ・インターフェースにおいてガイドラインを形成するための新規かつ改良されたグラフィカルユーザ・インターフェース、方法、および電子装置に関する。
【背景技術】
【０００２】
電子装置のディスプレイの寸法によって、例えばデジタル情報をディスプレイに表示する際に一定の制限が課される。小型ディスプレイは大量の情報を表示するには最適な場所ではない。全ての情報を一度にディスプレイに表示しようとすれば詳細は判読できなくなる。この問題を解決する方法は、所謂仮想デスクトップを使うことである。ここで、デジタル情報の実際の視野（view）がディスプレイ装置の寸法より（かなり）大きいとする。したがって、情報をスクロールする手段が必要である。これは例えばディスプレイに配設されたスクロールバーによって実現できる。
【０００３】
スクロールバーを使用しない場合でも現在の解決方法には欠点がある。最大の問題は、ディスプレイに表示しようとする素材がディスプレイ領域よりかなり大きい場合、素材内での現在位置が十分に知覚されないことである。つまり、例えば携帯デジタルアシスタント（ＰＤＡ）等のハンドヘルドデバイスはマップ・アプリケーションを搭載している。マップが有する領域は、その１／１０００だけを手中の装置のディスプレイに一度に表示できる。すなわち、マップは、例えば、１００Ｘ１００個の二次元マトリクスで構成される。ハンドヘルド装置のユーザは、例えば、スクロールバーや他の方法または手段を使ってマップ内を移動できる。マップ要素（ｘ：２０、Ｙ：２０）がディスプレイに表示されている場合、例えば所望の要素（ｘ：７０、ｙ：６５）までどのくらい離れているかを知ることは非常に難しい。この状況は、ユーザがズーム機能を使える場合に更に難しくなる。
【０００４】
上記の問題を解決する多数の従来の方法がある。上述のようにユーザにスクロールバーを与えてもよい。別の解決方法は、例えばマップ等のデジタル素材の中で移動する場合、ユーザに座標値(coordinate readings)を与える。さらに別の解決方法では、ディスプレイ上のカーソルの座標値を表示する。更に別の解決方法は、ディスプレイ上にマップのグリッドを表示する。
【０００５】
しかし、従来の解決方法にはいくつかの問題がある。スクロールバーの問題は、そもそも空間が限られているのに、それ自身が一定量の表示空間を必要とすることである。この問題は座標を数字で表示する場合も同様である。マップ座標を使用する場合、ユーザは、マップ全体における自らの相対位置を把握していない。そのかわり、座標は、デジタル素材の単なる測定目盛りを表すに過ぎない。座標は迅速なナビゲーションを促進しない。
【０００６】
例えば、そのディスプレイ寸法が２５．４ｃｍ（１０インチ）未満の小型の装置は、実際の表示領域よりかなり大きな仮想デスクトップを使用することが多い。したがって、ユーザが仮想デスクトップ上の正確な位置を素早く把握することは非常に難しい。したがって、例えばオブジェクトやアイコンを操作することによって、例えば特定の機能や活動を開始するオペレーシングシステムの所定のアクティブ領域に戻ることは非常に難しい。さらに、目的のアプリケーションの正確な位置が明確でなければ、仮想デスクトップ上で１つのアプリケーションから別のアプリケーションに移動することは非常に難しい。ディスプレイ装置は既に小型なので、表示空間はできる限り実際のアプリケーションのために確保しなければならない。殆どの従来のナビゲーション解決方法は、表示領域に自分自身のための部分を占めている。
【発明の開示】
【課題を解決するための手段】
【０００７】
本発明は、電子装置のグラフィカルユーザ・インターフェースにガイドラインを形成する方法、グラフィカルユーザ・インターフェース、および電子装置を開示する。この電子装置は少なくともディスプレイと、ナビゲーション手段とを有し、前記グラフィカルユーザ・インターフェースの仮想デスクトップ領域の一部をディスプレイに一度に表示する。この方法ではデジタル素材を仮想デスクトップ領域上に配置する。この方法は更にデジタル素材内で原点を決定し、ガイドラインが引かれる少なくとも２個の点を規定する。ここで、ガイドラインは原点までの距離および／または方向を示す。次にガイドラインを前記デジタル素材と共に前記ディスプレイ上に表示する。
【０００８】
本発明は、グラフィカルユーザ・インターフェースがガイドラインと共に提供されることに基づく。本発明の１実施例では、ユーザ・インターフェース領域内に１個以上の同心円を形成する。同心の中心は原点である。他の実施形態では、ユーザ・インターフェース領域内に１本以上の放射状のガイドラインを形成する。ガイドラインの開始点は原点である。原点までの距離および／または方向を、２本の隣接する放射状のライン間の角度に基づいて決定する。 
【０００９】
本発明は従来の解決方法に比べて幾つかの利点を有する。本発明は、仮想デスクトップ領域がディスプレイ上の可視領域よりも大きい場合に、仮想デスクトップにおけるナビゲーションおよび方向決定を支援する。
【発明を実施するための最良の形態】
【００１０】
本発明の実施例を詳細に説明する。その例を添付の図面に示す。
【００１１】
図１ａ、図１ｂ、図２ａ、および図２ｂは、ガイドラインの実施例を示す。領域１２は、目に見える表示領域よりもかなり大きなユーザ・インターフェース領域または仮想デスクトップを表す。領域１４ａ、１４ｂ、１４ｃ、および１４ｄは、ディスプレイの表示領域を表す。図１ａ、図１ｂ、および図２ａにおいて、同心円１０ａ．．．１０ｄはガイドラインとして機能する。円を元にしてどこに原点があるかを見つけることは非常に容易である。円の目に見える部分の湾曲度が強ければ原点が遠くないことを意味する。反対に、円の目に見える部分の湾曲度がそれほど強くなければ、原点まではそこそこの距離があることを意味する。
【００１２】
図１ａの１つの実施例では、同心のガイドラインを楕円の線で置き換える。
【００１３】
図２ａおよび図２ｂは放射状のガイドライン１６を含む。その出発点は原点である。図２ａでは、放射線１６と円形１０ａ．．．１０ｄの両方のガイドラインが表示されている。原点までの距離は、隣接する２本の放射状のライン間の角度を元にして検出できる。放射状のガイドラインを元にしてどこに原点があるかを見つけることは容易である。
【００１４】
図３ａ、図３ｂ、および図３ｃは本発明を使用できる実施例を示す。図３ａ、図３ｂ、および図３ｃは、例えばパーソナルデジタルアシスタント（ＰＤＡ）または携帯電話といった携帯端末の３つの異なるディスプレイの表示内容を示す。ディスプレイ表示は円形および放射状のガイドラインを含む。これらガイドラインに基づけば、グラフィカルユーザ・インターフェース内でナビゲーションをすることは容易である。図３ａ、図３ｂ、および図３ｃにおいて、ディスプレイ表示の中心にある小さな円は静止カーソルである。カーソル手段を移動するということは実際、カーソルの下にある背景（例えば、ユーザフェイス、画像、ページ等）を移動することを意味する。所望の領域／地点が静止カーソルの下に来るまで表示内容を移動する。次にその領域／地点を、例えば、装置の確認ボタンによって選択できる。つまり、ガイドライン間の領域を、ファイルホルダー、アプリケーション開始ボタン等のアクティブ領域として使用できる。
【００１５】
図４は、ガイドラインを利用するグラフィカルユーザ・インターフェースを表す。平面のユーザ・インターフェースを円形状に形成する。円形のユーザ・インターフェース１８は、ここでは、３つの内部リング１０（ガイドライン）からなる。これらのリング１０は、円の中心点に向かうにしたがってその直径が短くなる。アプリケーションの主な機能を円形ユーザ・インタフェースの中心点において挿入でき、二次的な機能（２０、２２、２４、２６、２８）を、周囲をとりまくガイドライン（曲線）上に配置できる。例えば、あまり重要でない機能をより遠くの円上に位置させ、より重要な機能をより近くの円上に位置させる。円形および内部曲線によってユーザをガイドし、ユーザ・インターフェース上に機能を配置するための階層の論理システムを構築する。領域１４がディスプレイの可視領域を表す。別の実施例では、領域１８がディスプレイ上に一度に表示される。
【００１６】
図４の１つの実施例では、表示に基づいて測定結果をサポートするようにガイドラインを使用する場合には、そのラインに補助マークを付ける。補助マーク間の距離は測定目盛り（scale）から得られる。または、補助マークを測定目盛りから独立させてもよい。後者の場合、補助マーク間の距離を計算するために、アプリケーションまたはデジタル素材から得られる目盛り情報を必要としない。円形または楕円のガイドラインまたは補助マーク間の距離は、ズームした場合にはデジタル素材と共に一定の割合で変化してもよいし、ユーザ設定にしたがってズーム率から独立させることもできる。原点はデジタル素材の幾何学的な中心点に位置することができるし、デジタル素材の実質的な中心点を表すものとすることもできる。この場合、原点は最も重要な領域、例えば、最も重要なハイパーリンクが存在する領域に設定される。
【００１７】
図４の１つの実施例では、必要であればガイドラインを切り替えてオフにできる。好適な実施例では、ガイドラインは、ディスプレイアダプタと関連する制御手順によって実現される。したがって、装置の中央処理装置は、変更の再に総てのデジタル素材を処理する必要がない。素材の全体がディスプレイに収まればガイドラインを自動的になくすることも好適である。ガイドラインのコントラストを、素材のどの位置においてもラインが見えるように調整してもよい。
【００１８】
図４の１つの実施例では、アプリケーションまたはその他のオブジェクトを開く、オペレーシングシステムの所謂仮想デスクトップにガイドラインを付けることもできる。それぞれの表示内容はそれぞれ自身のガイドラインを含んでもよい。ディスプレイに表示されたデジタル素材は、その素材の中心点の定義を含んでもよい。そうでない場合、中心点は素材の幾何学的な中心点とする。素材を遠近法で表示する場合、すなわち、前面を後方より大きく表示する場合、ガイドラインも表示内容と同じ割合で表示することができる。ガイドラインを配置するための計算は、ユーザ・インターフェースまたは問合せ中のアプリケーションによって行うことができる。すなわち、計算機能をディスプレイアダプタに組み込むこともできる。計算処理そのものは当業者には周知なので、詳細な説明は行わない。
【００１９】
アプリケーションまたはその他の構成要素がデジタル素材を編集、例えば、遠近法による絵柄を作る場合、絵柄または作成対象の素材にガイドラインを加えてから、当該絵柄を表す画素を計算することが効率的である。この方法だと、寸法が一致したまま残る。次に、アプリケーション、中央処理装置、またはディスプレイアダプタが実際の計算処理を行う。
【００２０】
図４の１つの実施例では、システムを初期状態にロードすると、装置のディスプレイに原点が表示される。原点は、最も主要なアプリケーションまたはアイコンの領域内に配置されることが好適である。グラフィカルユーザ・インターフェースに選択バーが設けられていない場合、ボタンを押すか原点を指すことによって、ガイドライン間に配置されているメニューを稼働させる。メニュー項目を選択することによって多様な種類の機能を稼働できる。ユーザは通常、最もよく使用する機能がどこに配置されているかを覚えているので、これらの（メニューが配置された）領域は、表示されていない状態で稼働することができる。したがって、目に見えるデスクトップ空間をメニューのために使用する必要がない。
【００２１】
ユーザが１個以上のアプリケーションを開始した場合、通常、それらは電子装置の表示画面領域に収まらない。したがって、デスクトップは、仮想デスクトップ領域の一部だけが一度にディスプレイに表示されているという仮想状態にある。ユーザが新しいアプリケーションを開始したい際に仮想デスクトップにある現在地が原点または必要な開始アイコンを含んでいないかもしれない。しかし、ユーザは仮想デスクトップ内の原点に容易に戻ることができる。仮想デスクトップは上記のガイドラインを含むからだ。必要な動作を行うと、ユーザは、以前に居た場所に容易に戻ることができる。ユーザは、問題となっているアプリケーションの領域における湾曲度や位置を記憶しているからだ。
【００２２】
ユーザが、ガイドラインが目障りであると思う場合があるかもしれない。そのような場合にはガイドラインを消し、必要な時に再表示できる。
【００２３】
図５は、本発明に係る好適な電子装置の１例を示す。電子装置は、例えば携帯電話またはパーソナルデジタルアシスタント（ＰＤＡ）である。電子装置はプロセッサ４０と、プロセッサ４０に接続されたディスプレイ装置５０とを有する。データメモリ６０およびプログラムメモリ７０もプロセッサ４０に接続されている。プログラムメモリ７０は例えば動作システムを含む。メモリの寸法およびプロセッサ４０の処理能力は、使用する装置およびアプリケーションによって異なる。プログラムメモリ６０は、多様なタスクを実行できる異なる種類のソフトウェアアプリケーションを追加的に含むことができる。アプリケーションソフトウェアは例えばワードプロセッシングや、図形およびスプレッドシートソフトウェアを含む。ソフトウェアを使用できるようにするために、これらが使用するソフトウェアアプリケーションやデータをデータメモリ６０にロードする。
【００２４】
ディスプレイアダプタ９０はプロセッサ４０によってディスプレイ装置５０を制御する。表示関連の情報をデータメモリ６０に保管しないので、ディスプレイアダプタ９０はデータバッファを有し、この中にディスプレイ装置５０に表示される情報を保管する。
【００２５】
電子装置は、本発明の１つの実施例における加速センサ８０を参照するナビゲーション手段を有する。加速センサ８０を用いて、電子装置の傾き移動を測定できる。プロセッサ４０は測定結果を受信し、これを解釈する。加速センサ８０は、例えば加速率に比例するアナログ電圧を生成するピエゾ圧電素子または容電素子でもよい。
【００２６】
加速センサ８０を用いて、１次元、２次元または３次元の加速を測定できる。傾き移動の測定は、最高の加速は地球の重力に平行であるという事実に基づく。したがって、電子装置の地球に対する方向（orientation）を規定できる。また、電子装置の向きを測定するためにジャイロスコープを多様な形式で使用することもできる。測定される量は、例えば、傾き角や加速である。グラフィカルユーザ・インターフェースにおけるナビゲーションは、電子装置を傾けることによって実行される。
【００２７】
電子装置の回転度と表示に対応するメモリアドレスとの間の関連情報は、例えば、データメモリ６０に保存される。プロセッサ４０は、電子装置の向きを、ユーザまたは参照位置に関連して規定する。プロセッサ４０は、ユーザと電子装置４０との間の距離またはユーザの向きを、電子装置４０に関連して規定してもよい。
【００２８】
最も重要な点は、上記の定義が如何にしてなされるかではなく、電子装置の向きがディスプレイ装置５０表示される情報に影響するという事実である。メモリ空間は、例えば、２次元のメモリ空間として論理的に実行できる。ブラウジングを開始すると、プロセッサ４０は新規のメモリアドレスを規定する処理を現在のメモリアドレスから開始し、メモリ空間内での変位が関連情報にしたがった向きの変化の方向および量に対応するようにする。
【００２９】
電子装置はブラウザロック１００も有する。ブラウザロック１００をしたままブラウザを実行すると信号で知らせる。ディスプレイ装置上に表示されている内容を変化させないで維持するためには、電子装置の向きを同じ位置に維持しなければならない。好適な実施例では、電子装置はロック機能を有する。例えば、押ボタンである。押ボタンによってブラウジングをロックできる。ディスプレイ装置５０に情報を適切に表示するためには、ユーザは電子装置を傾けて、適切な表示向きに戻すことができる。ボタンを離すことで、ブラウジングを継続することもできる。
【００３０】
電子装置は、デジタル素材内での原点を決定する手段と、原点への距離および／または距離を示すガイドラインが貫通して引かれた少なくとも２個の点を規定する手段と、ディスプレイ上にガイドラインをデジタル素材と共に表示する手段と、を有する。これらの手段は１個以上の以下のものを用いて実行されることが好適である。つまり、プロセッサ４０、ディスプレイアダプタ９０、ディスプレイ６０、およびメモリ６０および７０である。
【００３１】
電子装置は更に、２つの同心円間の領域をアプリケーションを開始するためのアクティブ領域として使用する手段と、原点までの距離および／または方向を、２本の隣接する放射線の間の角度に基づいて検出する手段と、補助マークをガイドライン上に配置する手段と、ユーザ・インターフェース領域をズーミングする手段と、ガイドラインおよび／または補助マークをズーム率から独立して維持する手段と、ガイドラインおよび／または補助マークをズーム率と一緒に適合させる手段と、を含む。これらの手段は１個以上の以下を用いて実行されることが好適である。つまり、プロセッサ４０、ディスプレイアダプタ９０、ディスプレイ６０、およびメモリ６０および７０である。  
【００３２】
当業者には、技術が進歩すれば、本発明の基本的な概念が多様な方法によって実行できるようになるかもしれないことは明らかである。したがって、本発明およびその実施例は上述の例に限定されず、請求項の範囲内で変化するかもしれない。
【図面の簡単な説明】
【００３３】
本発明の更なる理解を促し、本明細書の一部を構成するために含まれる添付の図面は、本発明の実施例を示し、説明とともに、本発明の原理を説明することを助ける。
【図１ａ】図１ａは、本発明に係るガイドラインの実施例を示す図である。
【図１ｂ】図１ｂは、本発明に係るガイドラインの実施例を示す図である。
【図２ａ】図２ａは、本発明に係るガイドラインの実施例を示す図である。
【図２ｂ】図２ｂは、本発明に係るガイドラインの実施例を示す図である。
【図３ａ】図３ａは、本発明に係る、ガイドライを使用したディスプレイ上の表示内容を示す図である。
【図３ｂ】図３ｂは、本発明に係る、ガイドライを使用したディスプレイ上の表示内容を示す図である。
【図３ｃ】図３ｃは、本発明に係る、ガイドライを使用したディスプレイ上の表示内容を示す図である。
【図４】本発明に係るガイドラインを利用するグラフィカルユーザ・インターフェースを示す図である。
【図５】グラフィカルユーザ・インターフェースにおけるカイドラインを用いた電子装置の構成を示すブロック図である。
【図１ａ】
2005524141.tif 000003
【図１ｂ】
2005524141.tif 000004
【図２ａ】
2005524141.tif 000005
【図２ｂ】
2005524141.tif 000006
【図３ａ】
2005524141.tif 000007
【図３ｂ】
2005524141.tif 000008
【図３ｃ】
2005524141.tif 000009
【図４】
2005524141.tif 000010
【図５】
2005524141.tif 000011
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
少なくとも１個のディスプレイと、デジタル素材内において道案内するための道案内手段とを有する電子装置のグラフィカルユーザインタフェースにおいてガイドラインを形成する方法であって、前記デジタル素材からその一部のみを一度にディスプレイに表示する方法において、
デジタル素材内の任意の所望の点に原点を設定し、
前記素材の上に配置された場合には前記デジタル素材の全てを覆うように、前記原点の周囲を取り囲む湾曲したガイドラインを形成し、
前記ディスプレイに表示されたデジタル素材の一部に加えて、前記部分に重なり合う前記湾曲したガイドラインの一部も表示する、ステップを有し、
少なくとも１本の湾曲したラインの一部がディスプレイ上で目に見え、
前記ラインの一部の開放された方向が前記原点の方を指し、それによって、現在ディスプレイ上で目に見える前記湾曲したラインの一部がユーザに対して前記原点に向かって直感的にナビゲートすることを支援する、
ことを特徴とする方法。
【請求項２】
前記湾曲したガイドラインは、前記原点を中心として有する同心円によって形成され、その円周はデジタル素材の全てを覆うことを特徴とする、請求項１に記載の方法。
【請求項３】
前記湾曲したガイドラインは、前記原点を焦点の１つとして有する楕円によって形成されることを特徴とする、請求項１に記載の方法。
【請求項４】
２個の同心円の間の領域は、アプリケーションを開始するためのアクティブ領域として使用されることを特徴とする、請求項２に記載の方法。
【請求項５】
連続する円の間の距離は一定であることを特徴とする、請求項２に記載の方法。
【請求項６】
連続する円の間の距離は、デジタル素材上の原点の位置によって異なることを特徴とする、請求項２または３に記載の方法。
【請求項７】
少なくとも１個のディスプレイと、デジタル素材内において道案内するための道案内手段とを有する電子装置のグラフィカルユーザインタフェースにおいてガイドラインを形成する方法であって、前記デジタル素材からその一部のみを一度にディスプレイに表示する方法において、
デジタル素材内の任意の所望の点に原点を設定し、
前記素材の上に配置された場合には前記デジタル素材の全てを覆うように、前記原点から扇のように広がる放射状のガイドラインを形成し、
前記ディスプレイに表示されたデジタル素材の一部に加えて、少なくとも２本のガイドラインが前記ディスプレイ上で目に見えるように、前記部分に重なりあう前記放射状のガイドラインの一部も表示する、ステップを有し、
ユーザを、前記ガイドラインが互いに接近し、結果的に原点に近づく方向に直感的にナビゲートすることを特徴とする方法。
【請求項８】
前記原点までの距離および／または方向を、２本の隣接する放射状のラインの間の角度を元にして推測することを特徴とする、請求項７に記載の方法。
【請求項９】
補助マークを前記ガイドライン上に取り込むことを特徴とする、請求項１または７に記載の方法。
【請求項１０】
前記ユーザインタフェース領域の中にまたはこれから外にズーミングし、
前記ガイドライおよび／または補助マークをズーム率とは独立に維持する  ステップを更に有することを特徴とする、請求項９に記載の方法。
【請求項１１】
前記ユーザインタフェース領域の中にまたはこれから外にズーミングし、
前記ガイドラインおよび／または前記補助マークをズーム率と一緒に適合するステップを更に有することを特徴とする、請求項９に記載の方法。
【請求項１２】
ディスプレイと、グラフィカルユーザインターフェイスと、デジタル素材において道案内する道案内手段とを有する電子装置であって、前記デジタル素材の一部のみがディスプレイにおいて一度に見られる電子装置において、
デジタル素材内の任意の所望の点に原点を設定する手段（４０）と、
前記素材の上に配置された場合には前記デジタル素材の全てを覆うように、前記原点の周囲を取り囲む湾曲したガイドラインを形成する手段と、
前記ディスプレイに表示されたデジタル素材の一部に加えて、前記部分に重なり合う前記湾曲したガイドラインの一部も表示する手段（９０）と、
を有し、
前記ラインの一部の開放された方向が前記原点の方を指し、それによって、現在ディスプレイ上において目に見える前記湾曲したラインの一部がユーザに対して前記原点に向かって直感的にナビゲートすることを支援することを特徴とする電子装置。
【請求項１３】
湾曲したガイドラインを形成する手段は、前記原点を中心として有する同心円を形成し、その円周は前記素材の上に配置された場合には前記デジタル素材の全てを覆うことを特徴とする、請求項１２に記載の電子装置。
【請求項１４】
湾曲したガイドラインを形成する手段は、前記原点を焦点の１つとして有する楕円を生成することを特徴とする、請求項１２に記載の電子装置。
【請求項１５】
２個の同心円の間の領域を、アプリケーションを開始するためのアクティブ領域として使用する手段を有することを特徴とする、請求項１３に記載の電子装置。
【請求項１６】
ディスプレイと、グラフィカルユーザインターフェイスと、デジタル素材において道案内する道案内手段とを有する電子装置であって、前記デジタル素材の一部のみが一度にディスプレイに見られる電子装置において、
前記デジタル素材内に任意の所望の点に原点を設定する手段（４０）と、
前記素材の上に配置された場合には前記デジタル素材の全てを覆うような、前記原点から扇のように広がる直線のガイドラインを形成する手段と、
ディスプレイに表示されたデジタル素材の一部に加えて、前記部分に重なり合う前記直線のガイドラインの一部も表示する手段（９０）と、を有し
ユーザを、前記ガイドラインが互いに接近し、結果的に原点に近づく方向に直感的にナビゲートできることを特徴とする電子装置。
【請求項１７】
前記原点までの距離および／または方向を、隣接する２本の放射状のラインの間の角度を元にして評価する手段を有することを特徴とする、請求項１６に記載の方法。
【請求項１８】
補助マークを前記ガイドライン上に取り込む手段を有することを特徴とする、請求項１２または１６に記載の電子装置。
【請求項１９】
前記ユーザインタフェース領域の中へまたはこれから外にズーミングする手段（４０）と、
ガイドラインおよび／または補助マークをズーム率とは独立に維持する手段と、
を有することを特徴とする、請求項１８に記載の電子装置。
【請求項２０】
前記ユーザインタフェース領域の中にまたはこれから外にズーミングする手段と、
前記ガイドラインおよび／または前記補助マークをズーム率と一緒に適合する手段と、
を有することを特徴とする、請求項１８に記載の方法。
【国際調査報告】
2005524141.tif 000012
2005524141.tif 000013
2005524141.tif 000014